(57)【要約】      （修正有）【課題】画像を表示するモニターの周囲を周回して包囲し、モニターの表面の周辺部分と側面を被覆するモニターフレームをモニターに保持させる上で、モニターフレームがモニターの背面を被覆する部分を持たない場合に、モニターの表面側を被覆する表面板にねじを通すことなく、モニターを保持可能とするモニターフレームを提供する。【解決手段】モニター７の厚さ方向にモニター７の背面との間に間隔を置き、モニターフレーム８を構成する側面板８２の内周面に重なって接合される支持板２と、支持板２に重なって接合される受け材３と、受け材３の、モニター７の背面寄りの位置に接続される保持材４から保持装置１を構成する。保持材４の、軸がモニター７の厚さ方向を向いて受け材３に螺合する軸部４１の先端部と、モニターフレーム８を構成する表面板８１とでモニター７をモニター７の厚さ方向に挟持する。【選択図】図２
2014074840.tif 000002
【特許請求の範囲】
【請求項１】
画像を表示するモニターの表面の周辺部分を周回して被覆する表面板と、この表面板の外周側に一体化し、前記モニターの側面を被覆し、前記モニターの厚さ方向に前記モニターの厚さより大きい幅を持つ側面板からなり、前記モニターの周囲を周回して包囲するモニターフレームを前記モニターに保持させる保持装置であり、
前記モニターの厚さ方向に前記モニターの背面との間に間隔を置き、前記モニターフレームの前記側面板の内周面に重なって接合される支持板と、この支持板に重なって接合される受け材と、この受け材の、前記モニターの背面寄りの位置に接続される保持材とを備え、前記保持材は前記受け材に、軸が前記モニターの厚さ方向を向いて螺合する軸部を持ち、この軸部の、前記モニターの背面寄りの先端部が前記モニターの背面に直接、もしくは間接的に接触し、前記モニターフレームの前記表面板と共に前記モニターを前記モニターの厚さ方向に挟持することを特徴とするモニターフレームの保持装置。
【請求項２】
前記受け材は前記支持板に重なって接合される接合部と、この接合部の前記モニター側に一体的に形成され、前記モニターの背面に対向する受け部を有し、前記保持材の軸部は前記受け部に螺合して接続されることを特徴とする請求項１に記載のモニターフレームの保持装置。
【請求項３】
前記保持材の軸部の、前記モニターの背面寄りの先端部に、前記軸部の断面積より大きい面積を持ち、前記モニターの背面に接触する当接部が接続されていることを特徴とする請求項１、もしくは請求項２に記載のモニターフレームの保持装置。
【請求項４】
前記支持板は前記モニターフレームの前記側面板に、前記支持板と前記側面板を挿通するねじで接合され、このねじの頭部、もしくは軸部は前記側面板の厚さの範囲内に納まっていることを特徴とする請求項１乃至請求項３のいずれかに記載のモニターフレームの保持装置。
【請求項５】
請求項１乃至請求項４のいずれかに記載の複数個の前記保持装置が前記モニターフレームの周方向に分散して接合されていることを特徴とする保持装置付きモニターフレーム。
【発明の詳細な説明】
【技術分野】
【０００１】
本発明は画像を表示するモニターの周囲を周回して包囲し、モニターの表面の周辺部分と側面を被覆するモニターフレームをモニターに保持させるためのモニターフレームの保持装置、及びそれを使用した保持装置付きモニターフレームに関するものである。
【背景技術】
【０００２】
画像表示装置であるモニターの周囲にモニターの保護のための、あるいは装飾のためのモニターフレームを装着する場合、モニターフレームはモニターの設置目的、もしくは用途等に応じて変更され、モニターの保管時には取り外されることから、モニターに対しては着脱自在に接合される。
【０００３】
モニターフレームはモニターを保護、もしくは装飾することの目的上、少なくともモニター表面の周辺部分とモニターの側面を被覆することができればよく、モニターの背面を被覆する部分を持つ必要性はない。モニターを壁掛け状態で使用する場合には、モニターの背面に壁に支持されるためのアームを含む支持装置が接続（連結）されることから、支持装置の接続上、モニターフレームはモニターの背面を被覆する部分を持たない方が望ましい。
【０００４】
一般的にはモニターフレームをねじ（ボルト）等の連結手段を用いてモニターに接続（連結）することが考えられる（特許文献１〜３参照）。モニターフレームのモニターへの接続にねじを使用する場合、モニターフレームの内、モニターの表面側を被覆する表面板にねじを通すことは、モニターフレームとしての装飾の機能を失わせることになるため、表面板以外の部分にねじによる連結部分を配置することが必要である（特許文献１〜３参照）。
【０００５】
例えば特許文献１、２ではモニターの側面と背面に、モニターの一部を構成し、ナットが固定、もしくは接続されたケース（後面ケース）を装着し、このケースのナットにモニターフレームの一部であるハウジングを貫通するねじを螺合させることによりモニターフレームをモニターに接続している。
【先行技術文献】
【特許文献】
【０００６】
【特許文献１】特開２００２−００６７５７号公報（段落００１８〜００２４、図１〜図３）
【特許文献２】特開２００３−０６６８６３号公報（段落００１５〜００２１、図４、図５）
【特許文献３】特開２００５−１１７１７７号公報（段落００１５〜００３３、図５〜図７）
【発明の概要】
【発明が解決しようとする課題】
【０００７】
しかしながら、前記したモニターの背面に壁掛け用の支持装置が接続される場合のように、モニターフレームがモニターの背面を被覆する部分を持たない場合には、モニターの背面にモニターフレームを接合することができない。
【０００８】
ねじに依らずに接着剤、もしくは粘着テープ等を用いてモニターフレームをモニターに接着することも考えられるが、モニターが発生する熱の影響により接着剤や粘着剤の付着力が低下し、モニターフレームを保持する能力が失われる可能性があるため、モニターフレームがモニターから離脱する危険性がある。
【０００９】
本発明は上記背景より、モニターフレームがモニターの背面を被覆する部分を持たない場合に、モニターの表面側を被覆する表面板にねじを通すことなく、モニターフレームをモニターに保持させることを可能にするモニターフレームの保持装置及びそれを使用した保持装置付きモニターフレームを提案するものである。
【課題を解決するための手段】
【００１０】
請求項１に記載の発明のモニターフレームの保持装置は、画像を表示するモニターの表面の周辺部分を周回して被覆する表面板と、この表面板の外周側に一体化し、前記モニターの側面を被覆し、前記モニターの厚さ方向に前記モニターの厚さより大きい幅を持つ側面板からなり、前記モニターの周囲を周回して包囲するモニターフレームを前記モニターに保持させる保持装置であり、
前記モニターの厚さ方向に前記モニターの背面との間に間隔を置き、前記モニターフレームの前記側面板の内周面に重なって接合される支持板と、この支持板に重なって接合される受け材と、この受け材の、前記モニターの背面寄りの位置に接続される保持材とを備え、前記保持材が前記受け材に、軸が前記モニターの厚さ方向を向いて螺合する軸部を持ち、この軸部の、前記モニターの背面寄りの先端部が前記モニターの背面に直接、もしくは間接的に接触し、前記モニターフレームの前記表面板と共に前記モニターを前記モニターの厚さ方向に挟持することを構成要件とする。
【００１１】
モニターフレームの表面板はモニターの表面（画像表示面）側の周辺部分に表面側から重なってモニターの表面を周回して被覆し、側面板は表面板の外周側からモニターの厚さ方向の背面側に立ち上がり、モニターの側面を周回して被覆する。「表面板の外周側」はモニターを表面（正面）側から見たときの外周側であり、モニターフレームは表面板と側面板からＬ字形の断面形状をし、全体的には箱形の立体形状をする。表面板はモニターの表面に直接、もしくは間隔を置いて、あるいは間隔保持材等を介して間接的に重なり、側面板はモニターの側面に直接、もしくは間隔を置いて、あるいは間隔保持材等を介して間接的に重なる。
【００１２】
モニターは表面板と側面板から箱形に組まれたモニターフレーム内にその背面側から納められ、モニターフレームの周方向に分散して配置される複数個の保持装置にモニターフレームと共にモニターの厚さ方向に挟み込まれることによりモニターフレームを保持する（請求項５）。モニターは使用状態では壁から張り出すアームを有する支持装置に支持されるため、モニターフレームは保持装置を介してモニターに保持される関係にある。側面板８２は図１−（ａ）、図３−（ｂ）に示すように少なくともモニター７の厚さ方向にはモニター７を側面から被覆し得るだけの幅を持ち、モニター７の背面は壁から張り出す支持装置に連結されるためと、放熱のために開放し、モニターフレーム８はモニター７の背面側には不在になる。
【００１３】
保持装置１を構成する支持板２の、モニター７の背面寄りにはモニター７を挟持する保持材４が接続される受け材３が接合されるため、図１−（ａ）、図２に示すように支持板２はモニターフレーム８の側面板８２の幅方向（モニター７の厚さ方向）にはモニター７の背面寄りの反対側（モニター７から遠い側）に配置され、接合される。支持板２を側面板８２に着脱自在に接合する上では、支持板２の側面板８２への接合には主に側面板８２と支持板２を挿通するねじ５が使用されるが（請求項４）、必ずしもねじ５を使用する必要はなく、側面板８２と支持板２を貫通するピン等も使用可能である。
【００１４】
「挿通」とは、ねじ５が必ずしも側面板８２と支持板２の双方を貫通するとは限らず、いずれか一方の板の厚さ方向の中途で留まり、ねじ５の頭部、もしくは軸部が側面板８２の厚さの範囲内に納まるようなこと（請求項４）を含む意味である。例えば支持板２を側面板８２に接合するねじ５の軸部が支持板２側から側面板８２に螺入する場合、軸部の先端が側面板８２の厚さ方向の中途まで螺入し、その螺入のための孔（雌ねじ孔）が側面板８２を貫通しない場合があることを言う。
【００１５】
支持板２の側面板８２への接合にねじ５が使用される場合に、側面板８２の表面である外周面へのねじ５の露出を回避し、側面板８２の外観意匠性を低下させないようにする上では、ねじ５の頭部、もしくは軸部は側面板８２の厚さの範囲内に納められることが適切である（請求項４）。「ねじ５の頭部、もしくは軸部が側面板８２の厚さの範囲内に納まること」には、ねじが挿通する挿通孔が側面板８２を貫通する場合に、挿通孔の長さの範囲内にねじの頭部、もしくは軸部が納まる場合と、挿通孔自体が側面板８２を貫通しない場合がある。
【００１６】
例えばねじ５の頭部が側面板８２側に位置する場合は、図２に示すようにねじ５には皿ねじ等、例えば頭部の上面が平坦なねじの使用が考えられるが、頭部の上面が側面板８２の厚さの範囲内に納まれば、ねじ５の形式は問われない。上記のようにねじ５の頭部が支持板２側に位置し、軸部が側面板８２側に位置する場合は、軸部の先端が側面板８２の厚さの範囲内に納められればよく、軸部が挿通する側面板８２の挿通孔は側面板８２を貫通せず、支持板２側から側面板８２の厚さ方向の中途まで形成されることもある。
【００１７】
受け材３は詳しくは図２に示すように支持板２に重なって接合される接合部３１と、接合部３１のモニター７側に一体的に形成され、モニター７の背面にモニター７の厚さ方向に対向する受け部３２を有し、この受け部３２に保持材４の軸部４１が螺合して接続される（請求項２）。受け材３の、保持材４との接続部（受け部３２）には保持材４の軸部４１が螺合する雌ねじが切られたねじ孔３ｂが形成される。ねじ孔３ｂが形成された受け部３２に保持材４の軸部４１が螺合することで、保持材４は受け材３に対し、モニター７の厚さ方向の位置の調整が自在な状態に接続される。ねじ孔３ｂは受け材３の受け部３２に直接、形成される場合と、図２に示すように受け部３２に、雌ねじの切られたナット３３が固定されることにより間接的に形成される場合がある。
【００１８】
保持部４の軸部４１の先端部は受け材３（受け部３２）のねじ孔３ｂからモニター７の背面側へ突出し、モニターフレーム８の表面板８１とモニター７を挟んで対向し、表面板８１と共にモニター７をモニター７の厚さ方向に挟み込み得る状態になる。保持材４が受け材３に対し、軸部４１の軸方向の接続位置の調整が自在であることで、受け材３と保持材４の組み合わせ（保持装置１）はモニター７の厚さの相違、あるいはモニター７の背面形状の相違に拘らず、モニターフレーム８の表面板８１と共にモニター７を挟持することが可能になる。保持材４の軸部４１は表面板８１と対になってモニター７を挟持するため、表面板８１が配置されるモニター７の周辺部分を挟持することになる。
【００１９】
モニター７の背面には保持材４の軸部４１の先端部が直接、もしくは間接的に接触することから（請求項１）、保持材４は受け材３の、モニター７の背面寄りに接続されるため、受け材３は支持板２に対し、図２に示すようにモニター７の背面寄りに配置されることが合理的である。この関係で、支持板２をモニターフレーム８の側面板８２に接合するために支持板２に形成される挿通孔２ａは支持板２に対し、モニター７の背面寄りの反対側（モニター７から遠い側）に形成され、支持板２に受け材３を接合するための挿通孔２ｂはモニター７の背面寄りに形成される。
【００２０】
「軸部４１の先端部がモニター７の背面に直接、もしくは間接的に接触する」とは、軸部４１の先端部がモニター７の背面に直接、接触する場合と、軸部４１の先端部がモニター７の背面との間に緩衝用等の部品を介在させた状態で間接的に接触する場合、または軸部４１の先端部に面で接触する当接部４３を介して間接的に接触する場合（請求項３）があることを言う。
【００２１】
受け材３の支持板２への接合に両者を挿通するねじ６が使用される場合、支持板２はモニターフレーム８の側面板８２の内周面に重なって接合されることから、図２に示すようにねじ６は支持板２から側面板８２側へ突出しない状態に、受け材３と支持板２を挿通する。図２では受け材３と支持板２を貫通するねじ６を使用しながらも、ねじ６の頭部の先端、もしくは軸部の先端が支持板２の側面板８２側へ突出しないよう、頭部、もしくは軸部が支持板２の厚さの範囲内に納まるようにしている。
【００２２】
保持材４は受け材３（受け部３２）からモニター７側へ突出する軸部４１の先端部、すなわち軸部４１の、モニター７の背面寄りの先端部において、上記の通り、モニター７の背面に直接、もしくは間接的に接触し、モニターフレーム８の表面板８１と共にモニター７をモニター７の厚さ方向に挟持することによりモニターフレーム８をモニター７に保持させた状態を維持する。
【００２３】
モニターフレーム８の側面板８２に重なって接合される支持板２に接合される受け材３に、モニター７の厚さ方向を向いて螺合する軸部４１の先端部が表面板８１と共にモニター７をその厚さ方向に挟持することで、モニターフレーム８をモニター７に保持させた状態を維持するため、モニターフレーム８がモニター７の背面を被覆する部分を持たない場合にも、モニター７の表面側を被覆する表面板８１にねじを通すことなく、モニターフレーム８をモニター７に保持させることが可能になる。
【００２４】
保持材４の軸部４１の、モニター７の背面寄りの先端部に、軸部４１の断面積より大きい面積を持ち、モニター７の背面に直接的に接触する当接部４３が接続されている場合（請求項３）には、軸部４１の先端部が直接、モニター７に接触する場合より接触面における圧力が軽減されるため、モニター７の背面への損傷を防止することが可能になる。当接部４３の面積が軸部４１の断面積より大きいことで、モニター７の背面に接触したときの単位面積当たりの圧力が軽減されることによる。
【００２５】
「軸部４１の断面積」は軸部４１の軸方向に直交する方向の断面積である。軸部４１の先端部に当接部４３が接続される場合、軸部４１はモニター７の背面に間接的に接触することになる。軸部４１の先端部に当接板４３が接続された場合は、当接部４３がモニター７の背面に直接、接触することになるが、当接部４３のモニター７への接触面には、モニター７の保護のための緩衝材が接着されることもあり、その場合には厳密には直接、接触する状態にはならず、実質的に、あるいは直接的に接触することになる。
【００２６】
この場合、当接部４３をモニター７の背面に面で接触させることが可能になるため、当接部４３が表面板８１と共にモニター７を挟持したときに当接部４３が受ける圧力を当接部４３の全面に分散させることが可能である。この結果、当接部４３からモニター７に作用する圧力の集中が回避され、モニター７への損傷が回避され易くなる。当接部４３は軸部４１の先端に固定状態で一体化する場合と、当接部４３が軸部４１に対し、任意の方向に任意の角度をなしてモニター７に接触可能な状態に、ピンを介して連結される場合がある。
【００２７】
保持材４の軸部４１の先端部、もしくは当接部４３が表面板８１と共にモニター７を厚さ方向に挟持したときの反力は受け材３と支持板２を通じて側面板８２に伝達され、結果的にはモニターフレーム８の表面板８１と側面板８２が対になってモニター７を厚さ方向に挟持した状態になる。モニターフレーム８は表面板８１と側面板８２がモニター７を挟持することによりモニターフレーム８の自重をモニター７に預けるため、保持装置１はモニターフレーム８の周方向に分散して複数個、配置される（請求項５）。
【００２８】
複数個の保持装置１はモニターフレーム８の周方向に均等に配置されることが合理的であるが、必ずしもその必要はない。例えば図１−（ｂ）に示すようにモニター７の形状が長方形である場合に、縦長の状態で使用される場合には、モニター７の視聴者の視点から遠い側になる上下（横向き）の側面板８２、または横長の状態で使用される場合の左右（縦向き）の側面板８２に保持装置１を集中的に配置すれば、側面板８２の表面（外周面）には視聴者の視線が届かない状態になるため、保持装置１の支持板２を側面板８２に固定するねじ５の頭部が視聴者の視覚に入らないように複数個の保持装置１を分散させて配置することが可能である。
【発明の効果】
【００２９】
モニターフレームの側面板に重なって接合される支持板に接合される受け材に、モニターの厚さ方向を向いて螺合する軸部の先端部が表面板と共にモニターをその厚さ方向に挟持することで、モニターフレームをモニターに保持させた状態を維持するため、モニターフレームがモニターの背面を被覆する部分を持たない場合にも、モニターの表面側を被覆する表面板にねじを通すことなく、モニターフレームをモニターに保持させることができる。
【００３０】
また保持材の受け材に対する軸方向の接続位置の調整が自在であることで、受け材と保持材の組み合わせ（保持装置）はモニターの厚さの相違、あるいはモニターの背面形状の相違に対応しながら、表面板と共にモニターを挟持することができる。
【図面の簡単な説明】
【００３１】
【図１】（ａ）は保持装置を用いてモニターフレームをモニターに保持させた様子を示した断面図であり、（ｂ）のａ−ａ線断面図、（ｂ）はモニターフレーム内にモニターが収納された様子を示したモニターの背面図、（ｃ）は（ｂ）のｂ−ｂ線断面図である。
【図２】図１−（ａ）の破線円部分の拡大図である。
【図３】（ａ）はモニターフレームの単体を表面側から見た様子を示した正面図、（ｂ）は（ａ）のｃ−ｃ線断面図、（ｃ）は（ａ）のｄ−ｄ線断面図である。
【図４】保持装置の構成例を示した立面図である。
【図５】（ａ）は支持板を示した立面図、（ｂ）は（ａ）のｅ−ｅ線断面図である。
【図６】（ａ）は受け材を示した斜視図、（ｂ）は（ａ）のｆ−ｆ線断面図である。
【発明を実施するための形態】
【００３２】
以下、図面を用いて本発明を実施するための最良の形態を説明する。
【００３３】
図１−（ａ）〜（ｃ）は画像を表示するモニター７の周囲を周回して包囲するモニターフレーム８をモニター７に保持させる複数個の保持装置１をモニターフレーム８に接合し、モニターフレーム８をモニター７に保持させたときの保持装置１のモニターフレーム８への配置例と接合例を示す。図１−（ｂ）はモニターフレーム８を背面側から見たときの保持装置１の配置例を示し、（ａ）は（ｂ）のａ−ａ線の断面を、（ｃ）は（ｂ）のｂ−ｂ線の断面を示す。複数個の保持装置１はモニターフレーム８の周方向に分散して配置され、接合される。
【００３４】
図１、図３中、実線がモニターフレーム８を示し、その内周側の二点鎖線がモニターフレーム８内に収納されているモニター７を示す。モニターフレーム８の外周側に位置する二点鎖線はモニターフレーム８とは別体で製作され、モニターフレーム８の周囲を包囲し、壁に固定される装飾用の枠材に壁側から納められる外枠９を示している。この外枠９は壁には固定状態で支持されるのに対し、モニター７は壁から張り出す図示しない支持装置に鉛直軸回りに回転（揺動）自在に支持されるため、モニターフレーム８は外枠９に対しては相対的に移動（回転）可能な状態にある。
【００３５】
モニターフレーム８はモニター７の表面の周辺部分を周回して被覆する表面板８１と、モニター７に関して表面板８１の外周側に一体化し、モニター７の側面を被覆し、モニター７の厚さ方向にモニター７の厚さより大きい幅を持つ側面板８２から構成される。モニターフレーム８は箱形の形状に形成され、図１−（ａ）、（ｃ）に示すようにいずれの部分においても表面板８１と側面板８２からＬ形の断面形状をする。
【００３６】
表面板８１と側面板８２はそれぞれモニター７の周囲を周回するため、図３−（ａ）に示すように四辺形をなすように４本の表面板８１と側面板８２が組み合わせられ、長方形状に組み立てられるが、具体的には予めＬ形の断面形状に形成されている、例えば山形鋼（軽量形鋼）等を二方向に組み合わせて溶接等により接合することでモニターフレーム８が形成される。図３−（ａ）〜（ｃ）にモニターフレーム８とモニターフレーム８に収納されるモニター７、及び前記した外枠９の関係を示す。ここに示すように外枠９もモニターフレーム８と同様に長方形状に組み立てられる。
【００３７】
保持装置１は図１−（ａ）の破線円部分の拡大図である図２に示すようにモニター７の厚さ方向にモニター７の背面との間に間隔を置き、モニターフレーム８の側面板８２の内周面に重なって接合される支持板２と、支持板２に重なって接合される受け材３と、受け材３の、モニター７の背面寄りの位置に接続される保持材４から構成される。保持材４は受け材３に、軸がモニター７の厚さ方向を向いて螺合する軸部４１を持ち、軸部４１の、モニター７の背面寄りの先端部がモニター７の背面に直接、もしくは間接的に接触し、モニターフレーム８の表面板８１と共にモニター７をモニター７の厚さ方向に挟持することによりモニターフレーム８をモニター７に保持させる。保持材４は軸部４１において受け材３に螺合により接続されることから、保持材４にはねじ（ボルト）が使用される。
【００３８】
保持装置１を構成する支持板２と受け材３、及び保持材４は鋼材等の金属材料により、または合成樹脂材料等により製作されるが、合成樹脂材料を使用することには、金属同士の接触によるイオン化傾向の差に起因する腐食を防止する意味がある。
【００３９】
モニター７はモニターフレーム８の背面側からモニターフレーム８内に収納され、モニター７の表面が表面板８１に接触した状態で重なるか、両者間の間隔を保持するための、あるいはモニター７の表面を保護するための間隔保持材等を挟んで重なる。モニター７は図１−（ａ）、（ｃ）に示すように側面板８２の幅方向には表面板８１寄りに納まり、保持装置１の保持材４は表面板８１と共に、モニター７の周辺部分をその厚さ方向に挟持するため、保持材４がモニター７の周辺部分の背面寄りに位置するよう、保持装置１の支持板２は側面板８２の、モニター７の背面から距離を置いた位置に接合される。
【００４０】
保持装置１はモニターフレーム８の周方向に分散して複数個、配置されることから、１個の保持装置１はそれに付属する１本の保持材４のみによって表面板８１と対になってモニター７を挟持することも可能であるが、モニターフレーム８への保持装置１の配置個数を節減するために、図面では１個の保持装置１（支持板２）に付き、２本の保持材４、４を付属させている。これに伴い、図面では支持板２を表面板８１、もしくは側面板８２の長さ方向に一定の長さを持った長方形状に形成し、その長さ方向の２箇所に受け材３、３と保持材４、４を配置しているが、１枚の支持板２に接合される受け材３の個数と、１個の受け材３に接続される保持材４の本数は任意である。
【００４１】
支持板２はねじ５以外の手段によっても側面板８２には接合可能であり、受け材３もねじ６以外の手段によって支持板２に接合可能であるが、いずれにもねじ５、６を使用する場合には、図４、図５に示すように支持板２のいずれか部分にねじ５が挿通し、側面板８２に接合されるための挿通孔２ａが形成され、他のいずれかの部分にねじ６が挿通し、受け材３が接合されるための挿通孔２ｂが形成される。
【００４２】
上記のように保持材４によるモニター７の挟持上、支持板２は側面板８２の、モニター７の背面から距離を置いた位置に接合されることが合理的であり、その結果として表面板８１と共にモニター７を挟み込む保持材４をモニター７の背面寄りに配置することができるため、図２、図４に示すように挿通孔２ａはモニター７の背面から距離を置いた側に形成され、挿通孔２ｂはモニター７寄りに形成される。図５は図４に示す保持装置１を構成する支持板２の製作例を示す。図４、図５では挿通孔２ａと挿通孔２ｂを側面板８２の幅方向を向く同一直線上に配置しているが、必ずしもそのように配置する必要はない。
【００４３】
図４、図５に示すように挿通孔２ａと挿通孔２ｂを側面板８２の幅方向を向く同一直線上に配置し、側面板８２の長さ方向両側寄りに配置することには、側面板８２の長さ方向に一定の長さを持った支持板２に対し、モニターフレーム８の周方向に間隔を置いて配列するねじ５、６の間隔を最大に確保することができ、ねじ５、６の位置をモニターフレーム８の周方向に分散させる効果がある。
【００４４】
図面では支持板２の挿通孔２ａを挿通するねじ５が側面板８２の外周面側から支持板２の挿通孔２ａを貫通する場合に、図２に示すようにねじ５の頭部が側面板８２の厚さの範囲内に納まるよう、ねじ５に皿ねじを使用し、側面板８２の挿通孔８２ａを頭部が納まる円錐台形状に形成している。この場合、支持板２の挿通孔２ａにはねじ５の軸部のみが挿通するため、図５に示すように挿通孔２ａは円柱状に形成される。挿通孔２ａは単なる孔の場合とねじ孔の場合がある。図２に示すようにねじ５が支持板２のモニター７側の面から突出する軸部に螺合するナット５１の締結によって支持板２を側面板８２に接合する場合は、挿通孔２ａはねじ孔である必要はない。
【００４５】
同様に、図２に示すように支持板２の挿通孔２ｂを挿通するねじ６が支持板２の外周面側（側面板８２側）から支持板２の挿通孔２ｂと受け材３の挿通孔３ａを貫通する場合に、ねじ６の頭部が支持板２の厚さの範囲内に納まるよう、ねじ６に皿ねじを使用し、図５に示すように支持板２の挿通孔２ｂを頭部が納まる円錐台形状に形成している。受け材３が支持板２に重なったときに、支持板２の挿通孔２ｂに連通する受け材３の挿通孔３ａは図６に示すように円柱状に形成される。
【００４６】
１枚の支持板２には１個、もしくは図示するように複数個の受け材３が重なって接合され、支持板２の、受け材３が重なる領域には受け材３を支持板２に接合するためのねじ６が挿通する挿通孔２ｂが形成されることから、支持板２の、受け材３が重なる領域毎に１個、もしくは複数個の挿通孔２ｂが形成される。挿通孔２ｂは挿通孔２ａと同様、単なる孔の場合とねじ孔の場合がある。図２に示すようにねじ６が受け材３のモニター７側の面から突出する軸部に螺合するナット６１の締結によって受け材３を支持板２に接合する場合は、挿通孔２ｂはねじ孔である必要はない。
【００４７】
受け材３は図２に示すように支持板２に重なって接合される接合部３１と、接合部３１のモニター７側に一体的に形成され、モニター７の背面にその厚さ方向に対向する受け部３２を有し、受け部３２に保持材４の軸部４１が螺合して接続される。受け部３２は保持材４の軸部４１が接続されたときに、軸部４１の先端部が表面板８１とモニター７を挟んで対向する状態になるよう、接合部３１のモニター7側の端部から接合部３１に対して屈曲してモニターフレーム８の内周側へ張り出し、受け材３自身は図６に示すようにＬ形の形状をする。受け材３の寸法（大きさ）に応じ、受け部３２には保持材４の軸部４１が螺合するための雌ねじの切られた１個、もしくは複数個のねじ孔３ｂがモニター７の厚さ方向を向いて形成される。
【００４８】
受け材３の接合部３１は支持板２の挿通孔２ｂが形成された部分に重なるため、接合部３１には支持板２の挿通孔２ｂに連通する挿通孔３ａが形成され、受け部３２に保持材４の軸部４１が螺合するねじ孔３ｂが形成される。図面では支持板２の挿通孔２ｂをモニター７の厚さ方向に２段に形成していることに対応し、接合部３１の挿通孔３ａを２個、形成している。
【００４９】
保持材４の軸部４１は受け材３の受け部３２に螺合することによりモニター７の厚さ方向に対する位置の調整が自在な状態に受け材３に接続されるため、受け部３２には雌ねじの切られたねじ孔３ｂの形成が必要になる。但し、受け部３２には軸部４１が螺合することができればよいため、図２に示すように受け部３２の上面と下面の少なくともいずれか一方にナット３３を溶接等により固定しておけば、受け部３２自体の孔は雌ねじのない挿通孔でもよいことになる。受け部３２にナット３３を固定しながら、受け部３２自体にもねじ孔３２を形成すれば、保持材４の軸部４１の螺合長さが大きくなるため、受け部３２に螺合した状態にある保持材４の安定性が高まる利点がある。
【００５０】
また図２に示すように受け部３２の上面（保持材４の頭部４２側）にのみナット３３を固定した場合には、受け部３２にナット３３を固定しながらも、受け部３２の下面（モニター７側）とモニター７の背面との間に距離を確保することができるため、その距離の範囲内で保持材４の軸方向の位置調整が行え、モニター７の厚さの相違に対応できる自由度が増す利点がある。
【００５１】
受け材３の受け部３２に接続される保持材４は受け部３２のねじ孔３ｂへの螺入位置（螺入深さ）の調整によりモニター７の厚さ寸法や形状の相違に対応しながら、モニター７を挟み込むことの機能を果たす上では、少なくともねじ孔３ｂに螺入する軸部４１を持てばよい。只、図面では軸部４１のねじ孔３ｂへの螺入位置の調整作業をモニター７の背面側から行い易くするために、軸部４１の、モニター７の反対側（受け材３の接合部３１側）に頭部４２を形成している。この場合、保持材４の螺入位置の調整は頭部４２を直接、握って回転させるか、ドライバーを係止させて回転させることにより行われる。
【００５２】
保持材４の軸部４１の、モニター７寄りの先端部はモニター７の背面に直接、もしくは間接的に接触（当接）することで、表面板８１と対になってモニター７を挟み込んで挟持し、モニターフレーム８をモニター７に保持させる。軸部４１の先端部が直接、モニター７の背面に接触し、モニター７を挟持するときには、先端部の断面積に応じた圧力がモニター７に作用するため、先端部の断面積が小さい程、圧力が大きくなる。そこで、図面では軸部４１の断面積が小さい場合に、軸部４１の先端部が直接、接触することによるモニター７の損傷を防止するために、軸部４１の先端部に軸部４１の断面積より大きい面積を持つ当接部４３を接続している。
【００５３】
当接部４３は図２に示すように軸部４１に連続する部分として一体的に形成、あるいは接続されることもある。一方、例えば軸部４１とは別体で製作された当接部４３を軸部４１の先端側に配置し、当接部４３を貫通して軸部４１に到達するピン等を用い、当接部４３を軸部４１の軸方向に直交する方向の面に対し、任意の方向に傾斜可能な状態で連結しておくことで、モニター７の背面が平坦面でない場合にもモニター７の背面形状に当接部４３が追従して密着する状態を得ることが可能である。モニター７の背面が平坦面であれば、当接部４３が軸部４１に一体的に形成、あるいは接続されていても、当接部４３のモニター７側の面がモニター７の背面に面で密着する状態になる。
【００５４】
軸部４１がモニター７に直接、接触する場合の軸部４１の先端の面、または当接部４３のモニター７側の面には、軸部４１の先端、または当接部４３がモニター７を挟持したときの、モニター７の保護のために、合成樹脂製等の緩衝材が接着させられることもある。
【符号の説明】
【００５５】
１……保持装置、
２……支持板、２ａ……挿通孔（側面板８２用）、２ｂ……挿通孔（受け材３用）、
３……受け材、３１……接合部、３ａ……挿通孔（ねじ６用）、３２……受け部、３ｂ……ねじ孔、３３……ナット、
４……保持材、４１……軸部、４２……頭部、４３……当接部、
５……ねじ（支持板２と側面板８２の接合用）、５１……ナット、
６……ねじ（受け材３と支持板２の接合用）、６１……ナット、
７……モニター、
８……モニターフレーム、８１……表面板、８２……側面板、８２ａ……挿通孔（ねじ５用）、
９……外枠。
【図１】
2014074840.tif 000003
【図２】
2014074840.tif 000004
【図３】
2014074840.tif 000005
【図４】
2014074840.tif 000006
【図５】
2014074840.tif 000007
【図６】
2014074840.tif 000008